(57)【特許請求の範囲】
【請求項１】
下記一般式（１）で表されるアミンオキシド（Ａ）４５〜８５質量％、分子量４００以下のポリエチレングリコール（Ｂ）２〜１５質量％、及び水（Ｃ）からなる界面活性剤組成物。
【化１】
0005492548.tif 000007
（式中、Ｒ1は炭素数３〜８のアルキル基又はアルケニル基を示し、Ｒ2及びＲ3は、それぞれ独立に水素原子、又は炭素数１〜３のアルキル基もしくはヒドロキシアルキル基を示し、Ｒ4は炭素数２〜３のアルカンジイル基を示し、Ｘは−ＣＯＮＨ−又は−Ｏ−を示し、ｎは０又は１である。）
【請求項２】
前記一般式（１）で表されるアミンオキシド（Ａ）を１０〜６０質量％含有する水溶液又は懸濁液と、分子量４００以下のポリエチレングリコール（Ｂ）を混合した後、水分を除去する、請求項１に記載の界面活性剤組成物の製造方法。
【請求項３】
前記一般式（１）で表されるアミンオキシド（Ａ）を１０〜６０質量％含有する水溶液又は懸濁液の水分を除去した後、分子量４００以下のポリエチレングリコール（Ｂ）と混合する、請求項１に記載の界面活性剤組成物の製造方法。
【請求項４】
水分を除去する際の熱媒の温度が１２０℃以下である、請求項２又は３に記載の界面活性剤組成物の製造方法。
【請求項５】
薄膜乾燥機を用いて水分を除去する、請求項２又は３に記載の界面活性剤組成物の製造方法。
【請求項６】
請求項１に記載の界面活性剤組成物と、少なくともアルカリ性無機粉体を含む粉体原料とを混合又は造粒する、アミンオキシド粉末又は顆粒の製造方法。
【請求項７】
請求項２又は３に記載の製造方法で得られる界面活性剤組成物と、少なくともアルカリ性無機粉体を含む粉体原料とを混合又は造粒する、アミンオキシド粉末又は顆粒の製造方法。
【請求項８】
請求項６又は７に記載の製造方法により得られるアミンオキシド粉末又は顆粒を１０〜８０質量％含有する自動食器洗浄機用洗浄剤組成物。
【発明の詳細な説明】
【技術分野】
【０００１】
本発明は、洗浄力及びハンドリング性に優れた界面活性剤組成物に関する。
【背景技術】
【０００２】
近年、様々な洗浄基剤の界面活性剤として短鎖のアミンオキシドが用いられている。
例えば、特許文献１には、（ａ）アミンオキシド、（ｂ）カルボン酸モノマー単位と酸無水物モノマー単位の1種以上を有する構成単位と炭素数３〜１０の脂肪族炭化水素モノマー構成単位とを含有する高分子化合物、及び（ｃ）アルカリ剤及び金属イオン封鎖剤から選ばれる１種以上を含有する自動食器洗浄機用洗浄剤組成物が開示されている。
特許文献２には、（Ａ）アルキルアミンオキシド等の界面活性剤１〜１０重量％、（Ｂ）有機電解質高分子重合体５〜１５重量％、及び（Ｃ）プロピレングリコール、ポリエチレングリコール等の水溶性溶剤０．８〜５重量％等を含有する自動食器洗浄機用洗浄助剤組成物が開示されている。
自動食器洗浄機用洗浄剤組成物の一洗浄基剤としてアミンオキシドを配合する場合、その他の成分を配合可能にして洗浄剤組成物としての配合の自由度を広げる観点から、高濃度のアミンオキシドを用いることが必要となるが、一方で、アミンオキシドが４５質量％以上では急激に粘度が上昇し、ハンドリング性が悪化する。しかし、これらの従来技術では、高濃度のアミンオキシドの低温でのハンドリング性についてなんら検討されていない。
【先行技術文献】
【特許文献】
【０００３】
【特許文献１】特開２００９−１２７０１８号公報
【特許文献２】特開平１１−１１７０００号公報
【発明の概要】
【発明が解決しようとする課題】
【０００４】
本発明は、洗浄力及び低温でのハンドリング性に優れたアミンオキシドを含む界面活性剤組成物を提供することを課題とする。
【課題を解決するための手段】
【０００５】
本発明者らは、アミンオキシドに低分子量のポリエチレングリコールを少量配合することにより、上記課題を解決しうることを見出した。
すなわち、本発明は、次の〔１〕〜〔６〕を提供する。
〔１〕下記一般式（１）で表されるアミンオキシド（Ａ）４５〜８５質量％、分子量４００以下のポリエチレングリコール（Ｂ）２〜１５質量％、及び水（Ｃ）を含有する界面活性剤組成物。
【０００６】
【化１】
0005492548.tif 000002
（式中、Ｒ1は炭素数３〜８のアルキル基又はアルケニル基を示し、Ｒ2及びＲ3は、それぞれ独立に水素原子、又は炭素数１〜３のアルキル基もしくはヒドロキシアルキル基を示し、Ｒ4は炭素数２〜３のアルカンジイル基を示し、Ｘは−ＣＯＮＨ−又は−Ｏ−を示し、ｎは０又は１である。）
【０００７】
〔２〕前記一般式（１）で表されるアミンオキシド（Ａ）を１０〜６０質量％含有する水溶液又は懸濁液と、分子量４００以下のポリエチレングリコール（Ｂ）を混合した後、水分を除去する、前記〔１〕の界面活性剤組成物の製造方法。
〔３〕前記一般式（１）で表されるアミンオキシド（Ａ）を１０〜６０質量％含有する水溶液又は懸濁液の水分を除去した後、分子量４００以下のポリエチレングリコール（Ｂ）と混合する、前記〔１〕の界面活性剤組成物の製造方法。
〔４〕前記〔１〕の界面活性剤組成物と、少なくともアルカリ性無機粉体を含む粉体原料とを混合又は造粒する、アミンオキシド粉末又は顆粒の製造方法。
〔５〕前記〔２〕又は〔３〕の製造方法で得られる界面活性剤組成物と、少なくともアルカリ性無機粉体を含む粉体原料とを混合又は造粒する、アミンオキシド粉末又は顆粒の製造方法。
〔６〕前記〔４〕又は〔５〕の製造方法により得られるアミンオキシド粉末又は顆粒を１０〜８０質量％含有する自動食器洗浄機用洗浄剤組成物。
【発明の効果】
【０００８】
本発明によれば、洗浄力及び低温でのハンドリング性に優れたアミンオキシドを含む界面活性剤組成物を提供することができる。この界面活性剤組成物は、特に自動食器洗浄機洗浄剤組成物として有効である。
【図面の簡単な説明】
【０００９】
【図１】本発明の界面活性剤組成物の１態様におけるアミンオキシドの含有量と粘度の関係を示すグラフである。
【発明を実施するための形態】
【００１０】
＜界面活性剤組成物＞
本発明の界面活性剤組成物は、前記一般式（１）で表されるアミンオキシド（Ａ）４５〜８５質量％、分子量４００以下のポリエチレングリコール（Ｂ）２〜１５質量％、及び水（Ｃ）を含有することを特徴とする。
【００１１】
〔一般式（１）で表されるアミンオキシド（Ａ）〕
本発明で用いられるアミンオキシドは、下記一般式（１）で表される。
【００１２】
【化２】
0005492548.tif 000003
【００１３】
（式中、Ｒ1は炭素数３〜８のアルキル基又はアルケニル基を示し、Ｒ2及びＲ3は、それぞれ独立に水素原子、又は炭素数１〜３のアルキル基もしくはヒドロキシアルキル基を示し、Ｒ4は炭素数２〜３のアルカンジイル基を示し、Ｘは−ＣＯＮＨ−又は−Ｏ−を示し、ｎは０又は１である。）
一般式（１）で表されるアミンオキシドは、ｎが０とｎが１の混合物であってもよい。
従来、長鎖アルキル基を有するアミンオキシドが自動食器洗浄機用の洗浄剤成分として知られているが、本発明においては、Ｒ1であるアルキル基又はアルケニル基の炭素数を３〜８、好ましくは６〜８とすることで、泡立ちを抑制し、優れた洗浄力を発揮させ、自動食器洗浄機等で好適に使用することができる。Ｒ1であるアルキル基又はアルケニル基は、直鎖状であっても分岐鎖状であってもよい。
一般式（１）中のＲ1〜Ｒ4の炭素数の合計は、水への溶解性及び洗浄性能の観点から、１２以下であることが好ましい。特に、自動食器洗浄機用洗浄剤組成物に配合する場合は、一般式（１）中のＲ1〜Ｒ4の炭素数の合計が１２以下であると、水への溶解性が良好で、食器表面での洗浄液の濡れ拡がり性を阻害せず、重なり合う皿の隙間にまで有効成分が到達し易くなり、結果的に良好な固着汚れ除去能が得られるという観点から好ましい。
【００１４】
一般式（１）において、ｎ＝０の場合のアミンオキシドの好適例としては、オクチルジメチルアミンオキシド、オクチルジエチルアミンオキシド、２−エチルヘキシルジメチルアミンオキシド、２−エチルヘキシルジエチルアミンオキシド、ヘキシルジメチルアミンオキシド、ヘキシルジエチルアミンオキシド、ブチルジメチルアミンオキシド、ブチルジエチルアミンオキシド等が挙げられる。
また、一般式（１）において、ｎ＝１の場合のアミンオキシドの好適例としては、ブチルアミドプロピルジメチルアミンオキシド等が挙げられる。
これらの中では、オクチルジメチルアミンオキシド、２−エチルヘキシルジメチルアミンオキシド、ヘキシルジメチルアミンオキシドがより好ましい。
【００１５】
〔分子量４００以下のポリエチレングリコール（Ｂ）〕
本発明で用いられるポリエチレングリコール（Ｂ）は、低温でのハンドリング性向上の観点から、分子量が４００以下が好ましく、３００以下がより好ましく、２００以下が更に好ましい。
【００１６】
〔界面活性剤組成物中の（Ａ）、（Ｂ）成分の含有量〕
界面活性剤組成物中のアミンオキシド（Ａ）の含有量は、４５〜８５質量％である。
例えば、一般式（１）において、ｎ＝０で、Ｒ1の炭素数が８の場合、この量が４５質量％未満ではそもそも粘度が低く、課題とするハンドリング性に問題がない。一方、アミンオキシドが４５質量％以上、更には５０質量％以上、更には５１質量％以上、更には５２質量％以上、更には５３質量％以上になるように水分を除去し、高濃度化を図ると急激に粘度が上昇するため、ポリエチレングリコール（Ｂ）を配合することが必要になる。
また、例えば自動食器洗浄機用洗浄剤組成物の一洗浄基剤としてアミンオキシド（Ａ）を配合する場合は、その他の成分を配合可能にして洗浄剤組成物としての配合の自由度を広げる観点から、アミンオキシド（Ａ）の含有量は６０質量％以上が好ましく、６５質量％以上がより好ましく、７０質量％以上が更に好ましい。
一方、アミンオキシド（Ａ）の含有量が８５質量％を超えると、ポリエチレングリコール（Ｂ）を配合してもハンドリング性が著しく低下する。なかでも、生産性及び設備負荷の観点から、８５質量％以下が好ましく、８０質量％以下がより好ましい。
【００１７】
また、図１に、シグマアルドリッチジャパン株式会社製、ポリエチレングリコール(商品名：ＰＥＧ２００、重量平均分子量（Ｍｗ）：２００)を９質量％含有する界面活性剤組成物を用いて、横軸にアミンオキシドの含有量、縦軸に剪断速度が１０[１/ｓ]の時の粘度をとったグラフを示す。
図１から、３０℃での界面活性剤組成物の粘度挙動としては、二山構造をとることを見出した。界面活性剤組成物の粘度は、ハンドリング時の５０〜６０℃においては、より低粘度であり、粉末化又は顆粒化後の温度域（３０℃前後）においては、より高粘度となり液成分のしみだしによる固化を抑制できる領域が好ましい。
また、界面活性剤組成物中のポリエチレングリコール（Ｂ）の含有量は、２〜１５質量％である。この量が２質量％未満では、ハンドリング性に乏しく、また１５質量％を超えて配合しても、ハンドリング性の向上効果は頭打ちとなる上、配合の自由度が低下する等の問題が生じる。そのため、ポリエチレングリコール（Ｂ）の含有量は、ハンドリング性向上の観点から、３〜１４質量％が好ましく、５〜１３質量％がより好ましい。
水（Ｃ）の含有量は、界面活性剤組成物の全量から、アミンオキシド（Ａ）とポリエチレングリコール（Ｂ）の量を差し引いた残余の量であり、界面活性剤組成物を調製する際に水溶液等の形態で各成分から持ち込まれる水や、単独で加えられる水の総和である。
【００１８】
本発明における界面活性剤組成物の粘度は、ハンドリング性向上の観点から５０〜６０℃において、２００ｍＰａ・ｓ以下が好ましく、１５０ｍＰａ・ｓ以下がより好ましく、１００ｍＰａ・ｓ以下が特に好ましい。
一方、粉末化、又は顆粒化後のエージングの観点からは、３０℃前後において顆粒化後のしみだしによる固化抑制の観点から１０００ｍＰａ・ｓ以上が好ましく、３０００ｍＰａ・ｓ以上がより好ましく、５０００ｍＰａ・ｓ以上がより好ましい。
【００１９】
＜界面活性剤組成物の製造方法＞
本発明の界面活性剤組成物の製造方法に特に制限はないが、次の（１）又は（２）の方法によれば効率的に製造することができる。
（１）アミンオキシド（Ａ）を１０〜６０質量％含有する水溶液又は懸濁液と、ポリエチレングリコール（Ｂ）を混合した後、水分を除去する方法。
（２）アミンオキシド（Ａ）を１０〜６０質量％含有する水溶液又は懸濁液の水分を除去した後、ポリエチレングリコール（Ｂ）と混合する方法。
【００２０】
アミンオキシド水溶液又は懸濁液の水分を除去する方法に特に制限はなく、例えば加熱により水分を除去する方法、減圧下で水分を除去する方法、通風条件下で水分を除去する方法等が挙げられる。
例えば、薄膜乾燥法、フラッシュ乾燥法、噴霧乾燥法等を採用することができる。これらの中でも、アミンオキシド（Ａ）の分解、変質を抑制する観点から、熱履歴を少なくすることが望ましく、薄膜乾燥法を用いることが好ましい。
薄膜乾燥法に用いる薄膜乾燥機に特に制限はない。例えば円錐型の蒸発管を高速で回転させ、円錐内部に溶液を供給し、遠心力を利用して円錐状の蒸発管に薄い液膜を形成させ、効率的に濃縮する薄膜乾燥機が挙げられる。このタイプの薄膜乾燥機としては株式会社大川原製作所製の商品名：エバポール等が挙げられる。
また、外面に加熱手段、上部に液供給口と蒸気抜出口、下部に残渣排出口を有し、主体部が円筒状の乾燥器本体と、その内部に設置されている回転軸と、この回転軸に取り付けられていて乾燥器本体の内壁面に沿って周方向に移動する攪拌翼やワイパーが設置されており、内壁面に供給液の薄膜を形成して蒸発、乾燥させるようになっている公知の縦型薄膜乾燥機が挙げられる。この代表例としては、スミス式薄膜乾燥機やＬｕｗａ薄膜乾燥機等が挙げられる。また、市販の薄膜乾燥機としては、関西化学機械製作株式会社製の商品名：Ｈｉ−Ｕブラッシャー等が挙げられる。
【００２１】
ポリエチレングリコール（Ｂ）の混合は、水分を除去する工程の前後いずれであってもよいが、乾燥機内にアミンオキシド（Ａ）が付着するのを抑制する観点から、水分を除去する前にポリエチレングリコール（Ｂ）を添加する方が好ましい。すなわち、前記（１）アミンオキシド（Ａ）を１０〜６０質量％含有する水溶液又は懸濁液と、ポリエチレングリコール（Ｂ）を混合した後、水分を除去する方法がより好ましい。
また、水分を除去する際の温度は、アミンオキシド（Ａ）の熱安定性や変色の観点から、１２５℃以下が好ましく、１２０℃以下がより好ましく、１１０℃以下が更に好ましく、９０℃以下が特に好ましい。
【００２２】
＜アミンオキシド粉末又は顆粒＞
本発明の界面活性剤組成物は、少なくともアルカリ性無機塩を含む粉体原料と混合、造粒することにより、自動食器洗浄機用洗浄剤として好適に用いることができるアミンオキシド粉末又は顆粒を得ることができる。混合するアルカリ性無機塩は、特に制限されず、炭酸ナトリウム、炭酸カリウム、炭酸水素ナトリウム、炭酸水素カリウム等を用いることができる。
なお、本発明において、「粉末」とは、常温で固体の粒子状である形態を意味し、通常、平均粒径が０．１μｍ以上３００μｍ未満の粒子状であることを意味する。また「顆粒」とは、常温で固体の顆粒状である形態を意味し、通常、平均粒径が０．３〜１０ｍｍの粒子状、又は直径０．３〜１０ｍｍ、長さ０．３〜１０ｍｍのペレット状等であることを意味する。粒子状又は顆粒の形状は特に限定されず、球形、不定形、円筒形等のいずれであってもよい。
【００２３】
本発明のアミンオキシド粉末又は顆粒の製造方法においては、前記アルカリ性無機粉体の他に、通常の洗浄剤に用いることのできるその他の任意成分を配合することができる。
その他の任意成分としては、高分子化合物、消泡剤、増量剤又は希釈剤、表面改質剤、カルシウム塩や蟻酸等の酵素安定化剤、香料、防菌・防黴剤、色素等が挙げられる。
高分子化合物としては、ジイソブチレン／マレイン酸共重合体の粉末等が挙げられる。
消泡剤としては、質量平均分子量が好ましくは６００〜２０、０００、より好ましくは２、０００〜１２、０００のポリプロピレングリコールが消泡効果の点で好ましい。ポリプロピレングリコールの質量平均分子量は、ダイナミック光散乱光度計（ＤＬＳ−８０００シリーズ、大塚電子株式会社製等）等を用いて、光散乱法により測定することができる。
増量剤又は希釈剤としては、硫酸ナトリウム、硫酸マグネシウム等の硫酸塩等が挙げられる。増量剤又は希釈剤を配合すれば、各成分を希釈し、適度な濃度に分散させることで、使用に適した量に設計することができ、また、各成分の安定性を保持させるためにも有効である。
表面改質剤としては、ベントナイト、ゼオライト等が挙げられる。また、吸油性粉体の１種である非晶質シリカ（株式会社トクヤマ製、商品名：トクシール等）も表面改質剤として用いることができる。
【００２４】
本発明のアミンオキシド粉末又は顆粒の造粒方法としては、攪拌造粒法、押出造粒法、転動造粒法、真空転動造粒法、解砕造粒法、流動層造粒法、噴霧造粒法、破砕造粒法等が挙げられるが、攪拌造粒法、転動造粒法、及び真空転動造粒法がより好ましく、これら造粒方法に好適な機器としては、例えば、混合性や設置面積の観点から、ナウターミキサー、ハイスピードミキサー等が挙げられる。
本発明の方法により製造されたアミンオキシド粉末又は顆粒は、洗浄剤組成物の配合成分として有用であり、これを配合した洗浄剤組成物は、食器用、衣料用、住居用等の洗浄剤として好適に使用することができ、特に自動食器洗浄機用洗浄剤組成物として好適である。
【００２５】
＜自動食器洗浄機用洗浄剤組成物＞
本発明で得られた界面活性剤組成物を用いて得られたアミンオキシド粉末又は顆粒は、その他、洗浄基剤と混合することにより、自動食器洗浄機用洗浄剤組成物として好適に用いることができる。
その他洗浄基剤としては、アルカリ剤及び／又は金属イオン封鎖剤等が挙げられる。
アルカリ剤は特に制限されず、炭酸ナトリウム、炭酸カリウム、炭酸水素ナトリウム、炭酸水素カリウム等のアルカリ金属炭酸塩、アルカリ金属珪酸塩、結晶性層状珪酸ナトリウム（株式会社トクヤマシルテック製、商品名：プリフィード）等が挙げられ、非晶質のものを用いることができる。アルカリ剤は粉末のものが好ましいが、造粒処理等により粒子径や嵩密度を調製したものであってもよい。これらの中では、アルカリ金属炭酸塩が好ましく、炭酸ナトリウム、炭酸カリウム、炭酸水素ナトリウム、炭酸水素カリウムがより好ましい。
また、アルカリ剤として、アミン化合物も使用することができる。アミン化合物としては、アルカノールアミンが好ましく、１級のアルカノールアミンがより好ましく、モノエタノールアミンがより好ましい。
【００２６】
金属イオン封鎖剤も特に制限されず、トリポリリン酸ナトリウム等のリン酸塩等が好ましく挙げられる。無リンの洗浄剤とする場合は、クエン酸、リンゴ酸、酒石酸、琥珀酸、Ｌ−グルタミン酸二酢酸、ヒドロキシエチルイミノ二酢酸、エチレンジアミン二琥珀酸、ニトリロ三酢酸、メチルグリシン三酢酸、１、３−プロパンジアミン三酢酸、１、３−ジアミノ−２−ヒドロキシプロパン四酢酸、グリコールエーテルジアミン四酢酸、エチレンジアミン四酢酸、ジエチレントリアミン五酢酸、トリエチレンテトラアミン六酢酸、ジヒドロキシエチルグリシン、ヒドロキシエチルエチレンジアミンジカルボキシメチルグルタミン酸等のポリカルボン酸又はその塩が用いられる。
これらの中では、クエン酸、コハク酸、エチレンジアミン四酢酸、ジヒドロキシエチルグリシン、及びヒドロキシエチルエチレンジアミンジカルボキシメチルグルタミン、並びにそれらのアルカリ金属塩が好ましい。
【００２７】
本発明の自動食器洗浄機用洗浄剤組成物には、漂白剤、漂白活性化剤、酵素、高分子重合体等の公知の洗浄補助成分を配合することができる。
漂白剤としては、溶解することで過酸化水素又は過酸種を生成する固体物質が好ましく、過炭酸ナトリウム、過ホウ酸ナトリウムの粒状物等が挙げられ、漂白活性化剤としては、テトラアセチルエチレンジアミン、アルカノイルオキシベンゼンカルボン酸又はその塩、アルカノイルオキシベンゼンスルホン酸塩等が挙げられる。
酵素としては、プロテアーゼ、アミラーゼ、リパーゼ、セルラーゼ、エステラーゼ、ペルオキシダーゼ等の粒状化したもの等が挙げられる。アミラーゼは糊化したでんぷんへの作用があり、プロテアーゼは変性蛋白等に対する作用があるため好ましい。
高分子重合体としては、アミンオキシド粉末又は顆粒の欄で説明したジイソブチレン／マレイン酸共重合体の粉末等の他、ポリアルキレングリコール、特にはポリプロピレングリコール、陽イオン性基を有するモノマー構成単位と陰イオン性基を有するモノマー構成単位を含有する両性高分子重合体、架橋ポリアクリル酸等が挙げられる。これらの中では、洗浄効果及び低泡性の観点から、重量平均分子量（Ｍｗ）が６００〜２００００、好ましくは２０００〜１２０００のポリプロピレングリコールが好ましい。
その他、増量剤又は希釈剤、グリセリンやエタノール等の有機溶剤、カルシウム塩や蟻酸等の酵素安定化剤、香料、防菌・防黴剤、色素等を配合することができる。
【実施例】
【００２８】
以下の実施例、比較例において、特記しない限り「％」は「質量％」を意味する。
なお、界面活性剤組成物の粘度と水分、得られた粉末又は顆粒の破壊荷重、平均粒径は、以下の方法により測定した。
【００２９】
（１）界面活性剤組成物の粘度
レオメーター（フィジカ社製 、ＭＣＲ３００、φ５０ｍｍコーンプレート使用、剪断速度１０[1/s]）を用いて測定した。
（２）界面活性剤組成物の水分
ＪＩＳ  Ｋ  ００６８に規定されたカールフィッシャー法で測定した。
粉末又は顆粒の水分は赤外線水分計法により行う。即ち、試料３ｇを重量既知の試料皿にはかり採り、赤外線水分計（ケット科学研究所株式会社製、ＦＤ−２４０）を用いて８０℃で加熱し、３０秒間重量変化がなくなった時点を乾燥終了とした。そして、乾燥後の重量と乾燥前重量から水分量を算出した。
【００３０】
（３）破壊荷重
レオメーター（株式会社レオテック製FUDOHレオメーターRT-2200ND・D-CW）に直径３０ｍｍのアダプタを取り付け、金属製の筒状容器にアミンオキシド粉末、又は顆粒３０ｇをセットし、２５℃で１ｋｇ／ｃｍ２（９８００ｍＮ）の荷重を３分間かけ、圧縮する。次に圧縮によって成型されたアミンオキシド粉末又は顆粒を容器から取り出し、昇台速度を２ｃｍ／ｍｉｎに合わせて台を上昇させ、成型体に力を加えて成型体が壊れる時の力を測定し、この値を破壊荷重とした。
（４）平均粒径
ＪＩＳ Ｋ ８８０１の標準篩（目開き２０００〜１２５μｍ）を用いて５分間振動させた後、篩目のサイズによる重量分率からメジアン径を算出した。
【００３１】
実施例１〜２、及び比較例１〜４
５０％アミンオキシド水溶液をスミス式薄膜乾燥機（伝熱面積約０．０４ｍ2、ヒーター温度：１２０℃、機内圧力７ｋＰａ）を用いて水分１８％まで脱水し、表１に示す添加剤をそれぞれを５％添加し  表１に示す実施例１〜２及び、比較例１〜４の界面活性剤組成物を調製し、５０℃での粘度測定を行った。結果を表１に示す。
【００３２】
なお、表中の各成分の詳細は以下のとおりである。
・アミンオキシド：オクチルジメチルアミンオキシド〔ＣＨ3−（ＣＨ2）7−Ｎ（ＣＨ3）2→Ｏ〕、有効分５０％の水溶液。
・ＰＥＧ２００：シグマアルドリッチジャパン株式会社製、商品名、ポリエチレングリコール(Ｍｗ：２００)
・ＰＥＧ４００：シグマアルドリッチジャパン株式会社製、商品名、ポリエチレングリコール(Ｍｗ：４００)
・ＰＰＧ４００：和光純薬工業株式会社製、商品名、ポリプロピレングリコール(Ｍｗ：４００)
・デキストリン：松谷化学株式会社製、商品名「パインフローＫＨ」
・ポリオキシエチレンラウリルエーテル：花王株式会社製、商品名「エマルゲン１０６」
【００３３】
【表１】
0005492548.tif 000004
【００３４】
表１から、分子量４００以下のポリエチレングリコール（Ｂ）を含有させると、顕著な減粘効果が得られ、ハンドリング性が向上することが分かる。
【００３５】
実施例３〜８、及び比較例５〜８
実施例１と同様の方法で、表２示す実施例３〜８、及び比較例５〜８の界面活性剤組成物を調製し、６０℃での粘度測定を行った。結果を表２に示す。
【００３６】
【表２】
0005492548.tif 000005
【００３７】
表２の実施例３〜４と比較例５〜６の対比から、ポリエチレングリコール（Ｂ）を含有させると、顕著な減粘効果が得られ、ハンドリング性が向上することが分かる。
また、実施例５〜８と比較例７〜８の対比から、ポリエチレングリコール（Ｂ）を２〜１５質量％含有させると、顕著な減粘効果が得られ、ハンドリング性が向上することが分かる。
【００３８】
実施例９
実施例１と同様の方法で、５０％アミンオキシド水溶液にＰＥＧ２００を３％添加し、混合液をスミス式薄膜乾燥機を用いて脱水した。得られた界面活性剤組成物の組成は、アミンオキシドが７８％、ＰＥＧ２００が５％、水が１７％であり、その粘度は６０℃で１０６ｍＰａ・ｓ、色はほとんど透明であった。
【００３９】
実施例１０
実施例１と同様の方法で、５０％アミンオキシド水溶液をスミス式薄膜乾燥機を用いて水分１５％まで脱水した。脱水品の６０℃での粘度は、５０００ｍＰａ・ｓであった。
脱水品にイオン交換水を添加し、水分を１８％に調整した後に、ＰＥＧ２００を５％添加した。得られた界面活性剤組成物の組成は、アミンオキシドが７８％、ＰＥＧ２００が５％、水が１７％であり、その粘度は６０℃で７８ｍＰａ・ｓ、色はほとんど透明であった。
【００４０】
実施例１１
５０％アミンオキシド水溶液にＰＥＧ２００を６％添加し、混合液を薄膜乾燥機（Ｈｉ−Ｕブラッシャー、関西化学機械製作株式会社製、伝熱面積約０．３ｍ2、熱媒温度：１２５℃、機内圧力７ｋＰａ）を用いて脱水した。得られた界面活性剤組成物の組成は、アミンオキシドが７７％、ＰＥＧ２００が９％、水が１３％であった。また、その粘度は６０℃で５８ｍＰａ・ｓであり、低粘度のものは得られたが、界面活性剤組成物に多少変色がみられた。
【００４１】
実施例１２
５０％アミンオキシド水溶液にＰＥＧ２００を６％添加し、混合液を薄膜乾燥機（エバポール CEP-5S型、株式会社大川原製作所製、伝熱面積約０．４ｍ2、熱媒温度：８０℃、機内圧力１２ｋＰａ）を用いて脱水した。得られた界面活性剤組成物の組成は、アミンオキシドが６６％、ＰＥＧ２００が８％、水が２６％であり、その粘度は６０℃で４３ｍＰａ・ｓであり、色は透明であった。また、脱水速度は９２kg／(ｈｒ・ｍ2）であった。
比較例９
５０％アミンオキシド水溶液を伝熱面積約０．０４ｍ2、熱媒温度：８０℃、機内圧力３６ｋＰａの条件で、１Ｌフラスコとマントルヒーターを用いて脱水した。得られた界面活性剤組成物の組成は、アミンオキシドが７４％、水が２６％であり、その粘度は６０℃で４２００ｍＰａ・ｓであり、色は透明であった。また、脱水速度は４ｋｇ／（ｈｒ・ｍ2）と低速であった。
【００４２】
実施例１３（自動食器洗浄機用洗浄剤組成物の調製）
ＰＥＧ２００の添加を３％、熱媒温度を１１５℃にした以外は実施例１２と同様の条件で脱水した。得られた界面活性剤組成物の組成は、アミンオキシドが７８％、ＰＥＧ２００が５％、水が１７％であり、その粘度は６０℃で５４ｍＰａ・ｓ、３０℃で３６９１ｍＰａ・ｓであり、色は透明であった。
アルカリ性の無機粉体である炭酸ナトリウム６３％と、ジイソブチレン／マレイン酸共重合体の粉末（ロームアンドハース社製、ACUSOL460ND、ジイソブチレン／マレイン酸（モル比）＝５０／５０、質量平均分子量１５、０００、有効分８４％）１６％とを、ナウターミキサー（ホソカワミクロン株式会社製）に仕込み、ジャケットなし（３０℃）、主軸回転数４ｒｐｍ、スクリュー回転数１１０ｒｐｍの条件で、１分間混合した。そこに、６０℃に昇温した、調整した界面活性剤組成物:９％と、ＰＰＧ１００００:５％とを添加しながら、上記と同じ条件で混合、造粒を行った。造粒後、非晶質シリカ:７％添加し、５分間上記と同じ条件で混合してアミンオキシド顆粒を得た。得られたアミンオキシド顆粒は、破壊荷重の高い、付着性に優れたものであった。エージングすると破壊荷重が低下し、自動食器洗浄機用洗浄剤組成物に好適に配合される安定的なものとなった。
【００４３】
実施例１４（自動食器洗浄機用洗浄剤組成物の調製）
熱媒温度を１１５℃にした以外は実施例１２と同様の条件で脱水した。得られた組成物の組成は、アミンオキシドが７２％と高濃度であり、ＰＥＧ２００が９％、水が１９％であった。また、その粘度は６０℃で５０ｍＰａ・ｓ、３０℃で８５５２ｍＰａ・ｓであり、色は透明であった。
アルカリ性の無機粉体である炭酸ナトリウム（セントラル硝子株式会社社製、デンス灰）６３％と、前記ジイソブチレン／マレイン酸共重合体の粉末１６％とを、ナウターミキサー（ホソカワミクロン株式会社製）に仕込み、ジャケットなし（３０℃）、主軸回転数４ｒｐｍ、スクリュー回転数１１０ｒｐｍの条件で、１分間混合した。そこに、６０℃に昇温した、調整した界面活性剤組成物:９％と、ＰＰＧ１００００:５％とを添加しながら、上記と同じ条件で混合、造粒を行った。造粒後、非晶質シリカ:７％添加し、５分間上記と同じ条件で混合してアミンオキシド顆粒を得た。
得られたアミンオキシド顆粒は、破壊荷重が初期から低く、エージングする必要のない、また、自動食器洗浄機用洗浄剤組成物に好適に配合される安定的なものが得られた。
【００４４】
実施例１５（自動食器洗浄機用洗浄剤組成物の調製）
熱媒温度を１１５℃にした以外は実施例１２と同様の条件で脱水した。得られた組成物の組成は、アミンオキシドが５４％、ＰＥＧ２００が６％、水が４０％であった。また、その粘度は６０℃で３８ｍＰａ・ｓ、３０℃で２０７９０ｍＰａ・ｓであり、色は透明であった。
アルカリ性の無機粉体である炭酸ナトリウム（セントラル硝子株式会社社製、デンス灰）５９％と、前記ジイソブチレン／マレイン酸共重合体の粉末１６％とを、ナウターミキサー（ホソカワミクロン株式会社製）に仕込み、ジャケットなし（３０℃）、主軸回転数４ｒｐｍ、スクリュー回転数１１０ｒｐｍの条件で、１分間混合した。そこに、６０℃に昇温した、調整した界面活性剤組成物:１３％と、ＰＰＧ１００００:５％とを添加しながら、上記と同じ条件で混合、造粒を行った。造粒後、非晶質シリカ:７％添加し、５分間上記と同じ条件で混合してアミンオキシド顆粒を得た。
得られたアミンオキシド顆粒は、破壊荷重が初期から低く、エージングする必要のない、自動食器洗浄機用洗浄剤組成物に好適に配合される安定的なものが得られた。
【００４５】
比較例１０（自動食器洗浄機用洗浄剤組成物の調製）
アルカリ性の無機粉体である炭酸ナトリウム５９％と、前記ジイソブチレン／マレイン酸共重合体の粉末１６％とを、ナウターミキサーに仕込み、主軸回転数４ｒｐｍ、スクリュー回転数１１０ｒｐｍの条件で、１分間混合した。次に、界面活性剤組成物中にアミンオキシドが７５質量％、水が２５質量％の界面活性剤組成物:４０％と、ポリプロピレングリコール:５％とを添加しながら、上記と同じ条件で混合、造粒を行った。造粒後、非晶質シリカを７％添加し、５分間上記と同じ条件混合したが、塊状となり、粉末化しなかった。
【００４６】
【表３】
0005492548.tif 000006
【００４７】
表３から、実施例１３〜１５の界面活性剤組成物は６０℃における粘度が低く、３０℃における粘度が高いため造粒が容易であり、粉末化又は顆粒化後の破壊荷重も実用上好適な範囲であることが分かる。
これは比較例１０に比べて実施例１３〜１５の粘度比（３０℃粘度÷６０℃粘度）が極めて大きいことからも分かる。
【００４８】
実施例１６（自動食器洗浄機用洗浄剤組成物の調製）
実施例１５で得られたアミンオキシド粉末又は顆粒を６１％用いて、アミンオキシド造粒物６１％、シリケート（結晶性珪酸塩、株式会社トクヤマシルテック製、プリフィード）６％、クエン酸１０％、過炭酸ナトリウム（メタホウ酸ナトリウムで表面を被覆した過炭酸ナトリウム、平均粒径７００μｍ）２０％、アミラーゼ（ノボノルディスクバイオインダストリー株式会社製、デュラミル１２０Ｔ、平均粒径６００μｍ）１％、プロテアーゼ（ノボノルディスクバイオインダストリー株式会社製、サビナーゼ１８．０Ｔ、平均粒径６００μｍ）２％を含有する組成物を、ナウターミキサー中で主軸回転数４ｒｐｍ、スクリュー回転数１１０ｒｐｍの条件で混合して自動食器洗浄機用洗浄剤組成物を得た。
得られた洗浄剤組成物は汚れへ自発的に濡れ広がり、こびり付いた汚れを膨潤させ、優れた洗浄力であった。また、自動食器洗浄機内への再付着防止も優れており、自動食器洗浄機用洗浄剤として好適に用いることができた。
【図１】
0005492548.tif 000008